(57)【要約】【課題】抜け防止や組み付けの容易性を維持したままで、リップシール装置を傾きにくくし、簡易にガス漏れのリスクを低減できるリップシール装置およびそれを用いた流体機械を提供することを目的とする。【解決手段】環状保形材２９の外周に弾性変形可能な環状のリップシール材３１が設けられているリップシール装置２５において、リップシール材３１の外周面に、少なくとも３条以上の環状突起３３，３４，３５が軸線方向に所定ピッチで設けられ、該環状突起３３，３４，３５の軸線方向の両端側に位置する環状突起３３，３５が、リップシール装置収容部２６の内周面に加圧接触されるシール用環状突起３３，３５とされるとともに、該シール用環状突起３３，３５の間に位置する環状突起３４が、リップシール装置収容部２６の内周面に設けられている環状溝２８に係止される係止用環状突起３４とされている。【選択図】図２
2011033081.tif 000002
【特許請求の範囲】
【請求項１】
環状保形材の外周に弾性変形可能な環状のリップシール材が設けられているリップシール装置において、
前記リップシール材の外周面に、少なくとも３条以上の環状突起が軸線方向に所定ピッチで設けられ、
該環状突起の軸線方向の両端側に位置する環状突起が、リップシール装置収容部の内周面に加圧接触されるシール用環状突起とされるとともに、該シール用環状突起の間に位置する環状突起が、前記リップシール装置収容部の内周面に設けられている環状溝に係止される係止用環状突起とされていることを特徴とするリップシール装置。
【請求項２】
前記シール用環状突起および前記係止用環状突起は、少なくとも前記リップシール装置収容部に対する圧入方向側の突出面が軸線方向に漸次拡径するテーパ面とされていることを特徴とする請求項１に記載のリップシール装置。
【請求項３】
前記係止用環状突起は、前記リップシール装置収容部に対する反圧入方向側の面が前記環状溝の抜け止め用鉛直面と同じ鉛直面とされていることを特徴とする請求項１または２に記載のリップシール装置。
【請求項４】
前記シール用環状突起および前記係止用環状突起は、すべて同一断面形状とされていることを特徴とする請求項１ないし３のいずれかに記載のリップシール装置。
【請求項５】
前記係止用環状突起は、その突起の高さが前記シール用環状突起の高さよりも高くされていることを特徴とする請求項１ないし３のいずれかに記載のリップシール装置。
【請求項６】
ハウジング内に流体機構が内蔵されているとともに、該流体機構の回転軸の一端が前記ハウジングを貫通して外部に突出され、該回転軸が前記ハウジングを貫通する部位に該ハウジングの内外を軸封するリップシール装置が設けられている流体機械において、
前記リップシール装置が請求項１ないし５のいずれかに記載されたリップシール装置とされていることを特徴とする流体機械。
【請求項７】
前記ハウジングの前記回転軸が貫通する部位に、前記リップシール装置の収容部が設けられ、該収容部の内周面には、前記リップシール装置の前記係止用環状突起が係止される環状溝と、該環状溝の軸線方向外部側に形成され、前記ハウジングの内部側から圧入される前記リップシール装置が当接される段部とが設けられていることを特徴とする請求項６に記載の流体機械。
【発明の詳細な説明】
【技術分野】
【０００１】
本発明は、回転軸を備えている流体機械の軸封部等に適用されるリップシール装置およびそれを用いた流体機械に関するものである。
【背景技術】
【０００２】
ハウジングの内部に流体機構が設けられているポンプ、圧縮機、膨張機等の流体機械であって、流体機構に結合されている回転軸の一端がハウジングを貫通して外部に突出されている、いわゆる開放型の流体機械では、ハウジング内を流動するガスが回転軸の貫通部から外部に漏出しないように回転軸の貫通部を軸封している。この軸封部には、従来からリップシール装置が用いられている。
【０００３】
リップシール装置は、剛性の高い金属製の環状保形材の内外周に、弾性変形可能なゴム材等からなる環状のメインリップシール材、サブリップシール材等を設けた構成とされており、保形材と対応しているメインリップシール材の外周部をハウジング側のリップシール収容部に圧入し、メインリップシール材およびサブリップシール材のリップ部を回転軸の外周に圧接させて組み付けることより、回転軸の貫通部を軸封していた。
【０００４】
かかるリップシール装置において、ハウジング側の収容部からの抜け落ちを防止するとともに、該収容部に対する組み付けの容易性を確保するため、ハウジング側の収容部の内周面に環状溝を設けるとともに、その外部側に内向きに突出形成されたフランジ部を設ける一方、リップシール装置のメインリップシール材の外周部に、収容部の内周面に加圧接触される弾性変形可能な複数条のシール突部と、その前側または後側に位置する弾性変形可能な前記環状溝に係合される係合突部とを設けたシール構造が、特許文献１にて提案されている。
【先行技術文献】
【特許文献】
【０００５】
【特許文献１】特開平１１−２４８００５号公報（図３、図５参照）
【発明の概要】
【発明が解決しようとする課題】
【０００６】
特許文献１に提示されたものは、ハウジングの内部側からフランジ部に向けてリップシール装置を圧入し、メインリップシール材の外周部に設けられている係合突部を環状溝に係合することによって、リップシール装置の抜け止めを図ったもので、スナップリング等を用いることなく、リップシール装置を組み付けることができるため、組み付けの容易性を確保できるものである。しかしながら、メインリップシール材の外周部に設けられている複数条のシール突部に対して、それの軸線方向の前側または後側に環状溝に係合される係合突部を設けた構成とされている。
【０００７】
このため、リップシール装置をハウジング側の収容部内周面に保持、固定する機能を担う複数条のシール突部間のピッチ寸法が小さくなってしまい、例えばハウジング内が負圧となってリップシール装置に内向きの力が付加され、メインリップシール材が弾性変形されたり、位置ずれが生じたりしたとき、リップシール装置が傾き易く、ガス漏れのリスクが大きくなるという問題があった。また、リップシール装置を傾き難くするため、保形材を高剛性化することが考えられるが、コスト上昇を招くという問題があった。
【０００８】
本発明は、このような事情に鑑みてなされたものであって、抜け防止や組み付けの容易性を維持したまま、リップシール装置を傾きにくくし、簡易にガス漏れのリスクを低減できるリップシール装置およびそれを用いた流体機械を提供することを目的とする。
【課題を解決するための手段】
【０００９】
上記した課題を解決するために、本発明のリップシール装置およびそれを用いた流体機械は、以下の手段を採用する。
すなわち、本発明にかかるリップシール装置は、環状保形材の外周に弾性変形可能な環状のリップシール材が設けられているリップシール装置において、前記リップシール材の外周面に、少なくとも３条以上の環状突起が軸線方向に所定ピッチで設けられ、該環状突起の軸線方向の両端側に位置する環状突起が、リップシール装置収容部の内周面に加圧接触されるシール用環状突起とされるとともに、該シール用環状突起の間に位置する環状突起が、前記リップシール装置収容部の内周面に設けられている環状溝に係止される係止用環状突起とされていることを特徴とする。
【００１０】
本発明によれば、リップシール材の外周面に少なくとも３条以上の環状突起を設け、該環状突起の軸線方向の両端側に位置する環状突起をリップシール装置収容部の内周面に加圧接触されるシール用環状突起とするとともに、このシール用環状突起の間に位置する環状突起をリップシール装置収容部の内周面に設けられている環状溝に係止される係止用環状突起としているため、少なくとも３条以上の環状突起の内の１つである中央の環状突起を環状溝に係止される係止用環状突起としてリップシール装置の抜けを防止できるとともに、軸線方向の両端側に位置する複数条の環状突起をシール用環状突起として収容部の内周面との間をシールでき、しかも、複数条のシール用環状突起間のピッチを可及的に大きくしてリップシール装置の姿勢保持機能を向上し、その傾きを防止することができる。従って、リップシール装置が傾くことによるガス漏れのリスクを確実に低減し、シール機能を向上することができるとともに、リップシール材を支持する環状保形材の構成を簡素化し、コスト低減を図ることができる。
【００１１】
また、本発明のリップシール装置は、上記のリップシール装置において、前記シール用環状突起および前記係止用環状突起は、少なくとも前記リップシール装置収容部に対する圧入方向側の突出面が軸線方向に漸次拡径するテーパ面とされていることを特徴とする。
【００１２】
本発明によれば、シール用環状突起および係止用環状突起のリップシール装置収容部に対する圧入方向側の突出面が軸線方向に漸次拡径するテーパ面とされているため、リップシール装置をその収容部に対して圧入しやすくすることができる。従って、リップシール装置の組み付けを容易化することができる。
【００１３】
さらに、本発明のリップシール装置は、上述のいずれかのリップシール装置において、前記係止用環状突起は、前記リップシール装置収容部に対する反圧入方向側の面が前記環状溝の抜け止め用鉛直面と同じ鉛直面とされていることを特徴とする。
【００１４】
本発明によれば、係止用環状突起のリップシール装置収容部に対する反圧入方向側の面が環状溝の抜け止め用鉛直面と同じ鉛直面とされているため、係止用環状突起をその鉛直面を介して環状溝の抜け止め用鉛直面に係止することができる。従って、リップシール装置をその収容部に対してより確実に抜け止めすることができる。
【００１５】
さらに、本発明のリップシール装置は、上述のいずれかのリップシール装置において、前記シール用環状突起および前記係止用環状突起は、すべて同一断面形状とされていることを特徴とする。
【００１６】
本発明によれば、シール用環状突起および係止用環状突起がすべて同一断面形状とされているため、少なくとも３条以上の環状突起の断面形状を同一化することにより各々の突起の機能および品質を均一化、安定化することができる。これによって、リップシール装置の品質向上、シール機能の向上を図ることができる。
【００１７】
さらに、本発明のリップシール装置は、上述のいずれかのリップシール装置において、前記係止用環状突起は、その突起の高さが前記シール用環状突起の高さよりも高くされていることを特徴とする。
【００１８】
本発明によれば、係止用環状突起の高さがシール用環状突起の高さよりも高くされているため、係止用環状突起の高さが高くされている分だけ、リップシール装置の抜け止め機能を向上することができる。従って、リップシール装置をより確実に抜け止めすることができる。
【００１９】
さらに、本発明にかかる流体機械は、ハウジング内に流体機構が内蔵されているとともに、該流体機構の回転軸の一端が前記ハウジングを貫通して外部に突出され、該回転軸が前記ハウジングを貫通する部位に該ハウジングの内外を軸封するリップシール装置が設けられている流体機械において、前記リップシール装置が上述のいずれかに記載されたリップシール装置とされていることを特徴とする。
【００２０】
本発明によれば、流体機構の回転軸の一端がハウジングを貫通する部位に設けられ、ハウジングの内外を軸封するリップシール装置が上述のいずれかに記載されたリップシール装置とされているため、例えばハウジング内が負圧になった場合でも、環状溝に係止される係止用環状突起によりリップシール装置のハウジング内部側への抜け、位置ずれ等を防止できるとともに、軸線方向の両端側に位置する複数条のシール用環状突起によりリップシール装置収容部の内周面との間をシールすることができ、しかも複数条のシール用環状突起間のピッチを最大長としてリップシール装置の姿勢保持機能を向上し、その傾きを防止することができる。従って、リップシール装置が傾くことによるハウジング内からのガス漏れのリスクを確実に低減し、回転軸がハウジングを貫通する部位の軸封効果を向上することができる。
【００２１】
さらに、本発明の流体機械は、上記の流体機械において、前記ハウジングの前記回転軸が貫通する部位に、前記リップシール装置の収容部が設けられ、該収容部の内周面には、前記リップシール装置の前記係止用環状突起が係止される環状溝と、該環状溝の軸線方向外部側に形成され、前記ハウジングの内部側から圧入される前記リップシール装置が当接される段部とが設けられていることを特徴とする。
【００２２】
本発明によれば、ハウジングの回転軸が貫通する部位に、リップシール装置の収容部が設けられ、その収容部の内周面にリップシール装置の係止用環状突起が係止される環状溝と、該環状溝の軸線方向外部側に形成され、ハウジングの内部側から圧入されるリップシール装置が当接される段部とが設けられているため、リップシール装置を収容部に対してハウジングの内部側から圧入し、段部に当接させるとともに、係止用環状突起を環状溝に係止させることにより、リップシール装置をハウジングの内部側または外部側のいずれの方向に対してもスナップリング等を用いることなく、抜け止めをして組み付けることができる。従って、リップシール装置の抜け防止や組み付けの容易性を維持したままで、回転軸の貫通部位を軸封でき、軸封部の構造を簡素化してコスト低減を図ることができるとともに、軸封効果を高めることができる。
【発明の効果】
【００２３】
本発明のリップシール装置によると、３条以上の環状突起の内の１つである中央の環状突起を環状溝に係止される係止用環状突起としてリップシール装置の抜けを防止できるとともに、軸線方向の両端側に位置する複数条の環状突起をシール用環状突起として収容部の内周面との間をシールでき、しかも、複数条のシール用環状突起間のピッチを可及的に大きくしてリップシール装置の姿勢保持機能を向上し、その傾きを防止することができるため、リップシール装置が傾くことによるガス漏れのリスクを確実に低減して、シール機能を向上することができるとともに、リップシール材を支持する環状保形材の構成を簡素化して、コスト低減を図ることができる。
【００２４】
本発明の流体機械によると、例えばハウジング内が負圧になった場合でも、環状溝に係止される係止用環状突起によりリップシール装置のハウジング内部側への抜け、位置ずれ等を防止できるとともに、軸線方向の両端側に位置する複数条のシール用環状突起によりリップシール装置収容部の内周面との間をシールすることができ、しかも複数条のシール用環状突起間のピッチを最大長としてリップシール装置の姿勢保持機能を向上し、その傾きを防止することができるため、リップシール装置が傾くことによるハウジング内からのガス漏れのリスクを確実に低減して、回転軸がハウジングを貫通する部位の軸封効果を向上することができる。
【図面の簡単な説明】
【００２５】
【図１】本発明の第１実施形態に係るリップシール装置を用いたスクロール圧縮機の縦断面図である。
【図２】図１に示すリップシール装置の要部の縦断面図である。
【図３】本発明の第２実施形態に係るリップシール装置の要部の縦断面図である。
【図４】本発明の第３実施形態に係るリップシール装置の要部の縦断面図である。
【図５】本発明の第４実施形態に係るリップシール装置の要部の縦断面図である。
【発明を実施するための形態】
【００２６】
以下に、本発明にかかる実施形態について、図面を参照して説明する。
［第１実施形態］
以下、本発明の第１実施形態について、図１および図２を用いて説明する。
図１には、本発明の第１実施形態に係るリップシール装置を用いたスクロール圧縮機の縦断面図が示され、図２には、リップシール装置の要部の縦断面図が示されている。
スクロール圧縮機（流体機械）１は、外殻を構成するハウジング２を備えている。該ハウジング２は、円筒形状をなす圧縮機構収容部３Ａと複数の軸受が設けられる軸受部３Ｂとを有するフロントハウジング３と、圧縮機構収容部３Ａの開口端を閉塞するリアハウジング４とを複数本のボルト５を介して一体に結合した構成とされている。
【００２７】
ハウジング２内には、一対の固定スクロール７および旋回スクロール８から構成されるスクロール圧縮機構（流体機構）６が内蔵されている。スクロール圧縮機構６は、公知の如く、端板の一面に渦巻き状ラップが立設された一対の固定スクロール７と旋回スクロール８を、その中心を旋回半径分だけ離すとともに、渦巻き状ラップの位相を１８０度ずらした状態で噛合わせることによって、スクロール中心を点対称とする一対の圧縮室９を形成したものである。固定スクロール７は、リアハウジング４の内面側に複数本のボルト１０を介して固定されている。一方、旋回スクロール８は、フロントハウジング３内面のスラスト軸受部３Ｃに端板背面が支持され、後述する駆動機構および自転防止機構を介して固定スクロール７の周りに公転旋回駆動されるようになっている。
【００２８】
ハウジング２の内部は、スクロール圧縮機構６を介して旋回スクロール８の周囲を取り囲む低圧チャンバー１１側と、固定スクロール７の端板背面側に形成される高圧チャンバー１２側とに区画されている。低圧チャンバー１１側には、ハウジング２に設けられている吸入ポート１３が開口され、高圧チャンバー１２側には図示省略する吐出ポートが開口されており、スクロール圧縮機構６を介して冷媒ガスが流動されるようになっている。
【００２９】
フロントハウジング３の軸受部３Ｂには、メイン軸受１４およびサブ軸受１５が組み込まれ、該軸受１４，１５を介してクランク軸（回転軸）１６がその軸線Ｌ周りに回転自在に支持されている。クランク軸（回転軸）１６の一端は、フロントハウジング３を貫通して外部に突出されており、その突出端には、電磁クラッチ付きプーリ（図示省略）が結合され、外部から動力が入力されるように構成されている。また、クランク軸１６の他端側には、クランクピン１７が設けられている。
【００３０】
クランクピン１７には、バランスウェイト１９が一体成形されているドライブブッシュ１８がクランクピン１７周りに揺動可能に嵌合されており、更に、このドライブブッシュ１８の外周にフローティングブッシュ２０、旋回軸受２１を介して旋回スクロール８の端板背面に設けられている旋回ボスが嵌合されている。これによって、旋回スクロール８が旋回半径を可変として旋回駆動されるようになっている。
【００３１】
また、旋回スクロール８の端板背面と、フロントハウジング３のスラスト軸受部３Ｃとの間には、旋回スクロール８の端板背面側に設けられたリング２３と、スラスト軸受部３Ｃ側に設けられたピン２４とからなるピンリング式の自転阻止機構２２が設けられ、旋回スクロール８は、自転が阻止されるようになっている。なお、このピンリング式の自転阻止機構２２は、円周上の数箇所（例えば、４箇所）に設けられている。
【００３２】
さらに、フロントハウジング３の軸受部３Ｂには、メイン軸受１４とサブ軸受１５との間に、ハウジング２の内部側と外部側（大気側）とを軸封するためのリップシール装置２５が設けられている。このリップシール装置２５は、軸受部３Ｂの内周面に設けられているリップシール装置収容部（単に収容部と称する場合もある）２６に対してフロントハウジング３の内部側から圧入され、収容部２６の外部側（大気側）設けられている段部２７に当接されるようになっている。
【００３３】
リップシール装置２５は、図２に示されるように、金属製の高剛性を有する環状保形材２９と、該保形材２９の内周に設けられている金属製のバックアップリング材３０と、保形材２９の外周に設けられている弾性変形可能なゴム製の環状をなすメインリップシール材３１と、環状保形材２９およびメインリップシール材３１の内周側に設けられている環状の樹脂製サブリップシール材３２とから構成されている。
【００３４】
メインリップシール材３１は、環状の保形材２９に外周面に固着されるリング部３１Ａと、このリング部３１Ａから側方内向きに斜めに張り出されたリップ部３１Ｂとを備えた構成とされており、このリップ部３１Ｂおよびサブリップシール材３２は、クランク軸１６の外周面に圧接されるようになっている。また、リング部３１Ａの外周面には、少なくとも３条以上（本実施形態では、３条）の環状突起３３，３４，３５が軸線方向に所定ピッチで突設されている。
【００３５】
この３条の環状突起３３，３４，３５は、すべてが台形形状とされた同一断面形状の環状突起とされており、その内の軸線方向の両端側に位置する環状突起３３，３５が、リップシール装置収容部２６の内周面に弾性変形によって加圧接触されるシール用環状突起３３，３５とされ、中央部に位置する環状突起３４が、リップシール装置収容部２６の内周面に設けられている環状溝２８に係止され、リップシール装置２５のケーシング内部側への抜け止めを担う係止用突起３４とされている。
【００３６】
なお、環状溝２８の反圧入方向側の面は、係止用突起３４と係止し、リップシール装置２５の抜け止めを行うため、抜け止め用鉛直面２８Ａとされている。また、３条の環状突起３３，３４，３５は、すべて台形形状とされることによって、リップシール装置収容部２６に対する圧入方向側の突出面が軸線方向に漸次拡径するテーパ面３６とされるとともに、頂面に一定幅の円筒面３７が形成されている。
【００３７】
以上に説明の構成により、本実施形態によれば、以下の作用効果を奏する。
スクロール圧縮機１は、外部の駆動源から動力の供給を受け、クランク軸１６が回転されることによって作動される。クランク軸１６が回転されると、スクロール圧縮機構６の旋回スクロール８が固定スクロール７の周りに公転旋回駆動され、一対の圧縮室９が外周側から中心側に向って容積を減少しつつ移動される。これによって、低圧チャンバー１１から圧縮室９内に取り込まれた低圧冷媒ガスが圧縮され、高温高圧ガスとなって高圧チャンバー１２内に吐出された後、吐出ポートを介して圧縮機外部へと送り出される。
【００３８】
この間にハウジング２内を流動される冷媒ガスは、リップシール装置２５によって大気側への漏洩が阻止される。つまり、クランク軸１６がハウジング２（フロントハウジング３）を貫通する部位に組み込まれているリップシール装置２５は、メインリップシール材３１のリップ３１Ｂおよびサブリップシール材３２がクランク軸１６の外周に圧接されることによりクランク軸１６周りを軸封し、メインリップシール材３１のリング部３１Ａの外周面に設けられている複数条のシール用環状突起３３，３５がリップシール装置収容部２６の内周面に加圧接触されることによりハウジング側内周面との間を軸封する。これによって、ハウジング２側におけるクランク軸１６の貫通部位が大気から完全に軸封されるようになる。
【００３９】
ここで、ハウジング２側のクランク軸（回転軸）１６が貫通する部位には、リップシール装置収容部２６が設けられ、該収容部２６の内周面に、リップシール装置２５側の係止用環状突起３４が係止される環状溝２８と、該環状溝３４の軸線方向外部側（大気側）に形成され、ハウジング２（フロントハウジング３）の内部側から圧入されるリップシール装置２５が当接される段部２７とが設けられており、リップシール装置２５を収容部２６に対してハウジング２の内部側から圧入し、段部２７に当接させるとともに、係止用環状突起３４を環状溝２８に係止させることにより、フロントハウジング３内にリップシール装置２５を組み込んでいる。
【００４０】
このため、リップシール装置２５をハウジング２の内部側または外部側のいずれの方向に対してもスナップリング等の抜け止め具を用いることなく、抜け止めをして組み付けることができる。従って、リップシール装置２５の抜け防止や組み付けの容易性を維持したままで、クランク軸１６が貫通する部位を軸封することができ、軸封部の構造を簡素化してコスト低減を図ることができるとともに、軸封効果を高めることができる。
【００４１】
また、リップシール装置２５は、メインリップシール材３１のリング部３１Ａの外周面に少なくとも３条以上の環状突起３３，３４，３５が設けられ、この複数条の環状突起３３，３４，３５の内の軸線方向の両端側に位置する環状突起３３，３５が、リップシール装置収容部２６の内周面に加圧接触されるシール用環状突起３３，３５とされ、該シール用環状突起３３，３５の中間に位置する環状突起３４が、リップシール装置収容部２６の内周面に設けられている環状溝２８に係止される係止用環状突起３４とされた構成とされている。
【００４２】
このため、３条以上の環状突起３３，３４，３５の内の１つである中央の環状突起３４を環状溝２８に係止される係止用環状突起３４としてリップシール装置２５の抜けを防止することができるとともに、軸線方向の両端側に位置する複数条の環状突起３３，３５をシール用環状突起３３，３５として収容部２６の内周面との間を密封状態にシールすることができる。しかも、複数条のシール用環状突起３３，３５間のピッチを可及的に大きくしてリップシール装置２５の姿勢保持機能を向上し、メインリップシール材３１が弾性変形したり、位置ずれしたりしたとき、リップシール装置２５が傾くのを防止することができる。これによって、リップシール装置２５が傾くことによるガス漏れのリスクを確実に低減し、シール機能を向上することができるとともに、メインリップシール材３１を支持する環状保形材２９の構成を簡素化し、コスト低減を図ることができる。
【００４３】
また、シール用環状突起３３，３５の頂面を一定の幅を有する円筒面３７としているため、リップシール装置２５の姿勢保持機能を更に高めることができる。
さらに、本実施形態においては、シール用環状突起３３，３５および係止用環状突起３４のリップシール装置収容部２６に対する圧入方向側の突出面が軸線方向に漸次拡径するテーパ面３６とされている。このため、リップシール装置２５をその収容部２６に対して圧入しやすくすることができ、従って、リップシール装置２５の組み付けを容易化することができる。
【００４４】
また、シール用環状突起３３，３５および係止用環状突起３４がすべて台形状の同一断面形状とされているため、少なくとも３条以上の環状突起３３，３４，３５の断面形状を同一化することにより各々の突起３３，３４，３５の機能および品質を均一化、安定化することができる。これによって、リップシール装置２５の品質向上、シール機能の向上を図ることができる。
【００４５】
［第２実施形態］
次に、本発明の第２実施形態について、図３を用いて説明する。
本実施形態は、上記した第１実施形態に対して、３条の環状突起の内の係止用環状突起３４Ａを別形状としている点が異なる。その他の点については、第１実施形態と同様であるので説明は省略する。
本実施形態では、３条の環状突起３３，３４Ａ，３５の内の中央に位置する係止用環状突起３４Ａを略三角形状断面とし、その突起高さをシール用環状突起３３，３５の高さよりも若干高くした構成としている。
【００４６】
このように、係止用環状突起３４Ａの高さをシール用環状突起３３，３５の高さよりも高くすることにより、係止用環状突起３４Ａの高さを高くした分だけ、リップシール装置２５のハウジング内部側への抜け止め機能を向上することができる。従って、リップシール装置２５をより確実に抜け止めすることができる。
【００４７】
［第３実施形態］
次に、本発明の第３実施形態について、図４を用いて説明する。
本実施形態は、上記した第１および第２実施形態に対して、係止用環状突起３４Ｂを更に別の形状としている点が異なる。その他の点については、第１および第２実施形態と同様であるので説明は省略する。
本実施形態では、３条の環状突起３３，３４Ｂ，３５の内の中央に位置する係止用環状突起３４Ｂのリップシール装置収容部２６に対する反圧入方向側の面を環状溝２８の抜け止め用鉛直面２８Ａと対向する鉛直面３８とした構成としている。
【００４８】
このように、係止用環状突起３４Ｂのリップシール装置収容部２６に対する反圧入方向側の面を環状溝２８の抜け止め用鉛直面２８Ａと同じ鉛直面３８とすることにより、係止用環状突起３４Ｂをその鉛直面３８を介して環状溝２８の抜け止め用鉛直面２８Ａに係止することができる。このため、リップシール装置２５をその収容部２６に対してより確実に抜け止めすることができる。
【００４９】
［第４実施形態］
次に、本発明の第４実施形態について、図５を用いて説明する。
本実施形態は、上記第３実施形態に対して、他のシール用環状突起３３Ｂ，３５Ｂも係止用環状突起３４Ｂと同一形状としている点が異なる。その他の点については、第１ないし第３実施形態と同様であるので説明は省略する。
本実施形態では、３条の環状突起の両端側に位置する３３Ｂ，３５Ｂについても、中央に位置する係止用環状突起３４Ｂと同じく、リップシール装置収容部２６に対する反圧入方向側の面を鉛直面３８とした突起とし、３条の環状突起３３Ｂ，３４Ｂ，３５Ｂを同一断面形状の環状突起とした構成としている。
【００５０】
上記のように、３条の環状突起３３Ｂ，３４Ｂ，３５Ｂのリップシール装置収容部２６に対する反圧入方向側の面を鉛直面３８とした同一断面形状を持つ環状突起３３Ｂ，３４Ｂ，３５Ｂとすることによって、図２に示された形状の３条の環状突起３３，３４，３５が有する機能と、図４に示された形状の環状突起３８が有する機能とを併せ持つ環状突起とすることができる。
【００５１】
なお、本発明は、上記実施形態にかかる発明に限定されるものではなく、その要旨を逸脱しない範囲において、適宜変形が可能である。例えば、上記実施形態では、流体機械について、スクロール圧縮機１を１例に説明したが、圧縮機構については他の形式であってもよい。また、本発明は、圧縮機に限らず、ポンプ、膨張機等の他の流体機械にも広く適用できることは云うまでもない。
【００５２】
さらに、リップシール装置２５については、メインリップシール材３１のリング部３１Ａの外周面に、３条の環状突起３２，３３，３４を設けた例について説明したが、４条以上の環状突起を設けてもよく、この場合、少なくとも軸線方向の両端側に設けられている環状突起をシール用環状突起とし、その内側に設けられている少なくとも１以上の環状突起を係止用環状突起とすればよい。また、各環状突起の形状、大きさ、高さ等々については、上記実施形態のものに限らず、種々変形することができる。
【符号の説明】
【００５３】
１  スクロール圧縮機（流体機械）
２  ハウジング
３  フロントハウジング
６  スクロール圧縮機構（流体機構）
１６  クランク軸（回転軸）
２５  リップシール装置
２６  リップシール装置収容部（収容部）
２７  段部
２８  環状溝
２８Ａ  抜け止め用鉛直面
２９  環状保形材
３１  メインリップシール材
３３，３３Ｂ，３５，３５Ｂ  シール用環状突起（環状突起）
３４，３４Ａ，３４Ｂ  係止用環状突起（環状突起）
３６  テーパ面
３７  円筒面
３８  鉛直面
【図１】
2011033081.tif 000003
【図２】
2011033081.tif 000004
【図３】
2011033081.tif 000005
【図４】
2011033081.tif 000006
【図５】
2011033081.tif 000007